(57)【要約】【課題】  ページ番号を鮮明に印字することができる。【解決手段】  ページのナンバーリング処理で、スキャン時に原稿のサンプリングを行い、そのヒストグラムから下地レベルを検出し、その原稿の下地色からナンバーリングの色及び濃度レベルを決定する。【選択図】  図１
2006237990.tif 000002
【特許請求の範囲】
【請求項１】
画像データを入力する画像入力手段と、入力画像をサンプリングするサンプリ  ング手段と、前記サンプリング手段によりサンプリングされたデータから各色成分毎に独立したヒストグラムを作成するヒストグラム作成手段と、前述ヒストグラム作成手段から原稿の下地レベルを計算する下地レベル計算手段と、前記画像入力手段により入力された画像データに対して画像処理を施す画像処理手段と、前記画像処理手段により画像処理された画像を画像メモリに記憶する画像記憶手段と、キャラクタデータを生成するキャラクタデータ生成手段と、前記キャラクタ生成手段により生成されたキャラクタデータに対してキャラクタの色及び濃度レベルを変更するキャラクタデータ色変更手段と、前記キャラクタ色変更手段により処理されたキャラクタデータに対し、このキャラクタデータと前記画像記憶手段に記憶された画像とを読み出して合成する画像合成手段と、前記画像合成手段により合成された画像を出力するために像担持体上に静電潜像を形成するための露光を行う露光手段と、前記露光手段で露光した像担持体を現像器により現像し、画像を形成する画像形成手段と、前記画像形成手段で形成した画像を、画像記憶媒体上に転写し出力する画像形成装置において、前記キャラクタデータ色変更手段でキャラクタデータに対して着けるもしくは変更する濃度レベルは、前記下地レベル算出手段から算出された原稿の下地レベルから決定することを特徴とする画像形成装置。
【請求項２】
キャラクタデータに着ける色は、原稿の下地色の補色であることを特徴とする請求項１の画像形成装置。
【請求項３】
原稿の下地の色の濃度レベルが、特定の下地レベルを超えた場合のみ、キャラクタの色を変更することを特徴とする請求項１の画像形成装置。
【請求項４】
原稿の下地の色が、特定の下地レベルを超えた場合のみ、キャラクタの濃度レベルを変更することを特徴とする請求項１の画像形成装置。
【発明の詳細な説明】
【技術分野】
【０００１】
本発明は、画像形成装置等に関し、特に、画像情報に重ねて他の画像情報を形成するデジタル画像形成装置等に関する。
【背景技術】
【０００２】
近年、複写機において、読み込んだ画像に対してページ番号を付加して出力するナンバリング機能や、複写した記録紙を判別するためにキャラクタデータを印字して、判別するための機密印刷機能を有するデジタル画像形成装置が提案されている。
【０００３】
また、前記ナンバリング機能や機密印刷機能においては、文書とキャラクタデータが重ならないようにしたり、より見やすい位置に印字したいとのユーザーの要望に応えるために、合成する位置を左上、右上、右下、左下、上中央、下中央などに変更可能になっている。
【０００４】
さらに、原稿のカラー化にともないこれまで黒一色であったページ番号の文字の色も、ユーザが色を任意に指定して出力することが可能となり、どのような色の原稿でもページ番号が見えにくくなることがないようにすることが可能となっている。
【０００５】
又、従来例としては、例えば特許文献１と特許文献２をあげることが出来る。
【特許文献１】特開平１０−３３６４６６号公報
【特許文献２】特開２００１−１０３３１０号公報
【発明の開示】
【発明が解決しようとする課題】
【０００６】
しかしながら、実際にはページ番号を出力すると原稿の下地色とページ番号の色が酷似しており見えづらいことに気づき、ユーザがページ番号の色を指定して再度出力しなければならないことがある。
【０００７】
さらに、全ての原稿の下地の色が同じでないこともあるため、原稿の下地の色が変わるごとにページ番号の色を指定し直さなければならないという問題があった。
【課題を解決するための手段】
【０００８】
以上の点に鑑み、本発明によれば以下の手段を講ずることにより上記不具合を解消するものである。
【０００９】
すなわち、画像データを入力する画像入力手段と、入力画像をサンプリングするサンプリング手段と、前記サンプリング手段によりサンプリングされたデータから各色成分毎に独立したヒストグラムを作成するヒストグラム作成手段と、前述ヒストグラム作成手段から原稿の下地レベルを計算する下地レベル計算手段と、前記画像入力手段により入力された画像データに対して画像処理を施す画像処理手段と、前記画像処理手段により画像処理された画像を画像メモリに記憶する画像記憶手段と、キャラクタデータを生成するキャラクタデータ生成手段と、前記キャラクタ生成手段により生成されたキャラクタデータに対してキャラクタの色及び濃度レベルを変更するキャラクタデータ色変更手段と、前記キャラクタ色変更手段により処理されたキャラクタデータに対し、このキャラクタデータと前記画像記憶手段に記憶された画像とを読み出して合成する画像合成手段と、前記画像合成手段により合成された画像を出力するために像担持体上に静電潜像を形成するための露光を行う露光手段と、前記露光手段で露光した像担持体を現像器により現像し、画像を形成する画像形成手段と、前記画像形成手段で形成した画像を、画像記憶媒体上に転写し出力する画像形成装置において、前記キャラクタデータ色変更手段でキャラクタデータに対して着けるもしくは変更する濃度レベルは、前記下地レベル算出手段から算出された原稿の下地レベルから決定することで最適な印字を行うようにしたものである。
【発明の効果】
【００１０】
以上説明したように、本発明によればナンバリング機能などのキャラクタデータを合成する機能において、原稿をスキャンする際に、原稿のサンプリングを行い、そのサンプリングデータのヒストグラムから下地レベルを検出し、その検出した原稿の下地のレベルからナンバリングの色を決定することで、原稿によりページ番号が見えにくくなることなく、ページ番号を印字することが可能となる。
【発明を実施するための最良の形態】
【００１１】
以下本発明の実施例について図面を用いて説明する。なお、本発明はこの実施例に限るものではない。
【００１２】
図１は、本発明の実施例に関わる画像入出力システムの全体構成である。
【００１３】
リーダー装置（リーダー部）３００は、原稿画像を光学的に読み取り、画像データに変換する。リーダー部３００は、原稿を読み取るための機能を持つスキャナユニット２１０と、原稿用紙を搬送するための機能を持つ原稿給紙ユニット（ＤＦユニット）２５０とで構成される。ＤＦユニット２５０は、オプションユニットで必ず必要とするものではない。
【００１４】
プリンタ装置（プリンタ部）１００は、記録紙を搬送し、その上に画像データを可視画像として印字して装置外に排紙する。プリンタ部１００は、複数種類の記録紙カセットを持つ給紙ユニット３１０と、画像データを記録紙に転写、定着させる機能を持つマーキングユニット３２０と、印字された記録紙をソート、ステイプルして機外へ出力する機能を持つ排紙ユニット３３０とで構成される。排紙ユニット３３０は、オプションユニットで必ず必要とするものではない。
【００１５】
制御装置（コントローラ部）１１０は、リーダー部３００、プリンタ部１００と電気的に接続され、さらにネットワーク４００を介して、コンピュータ１０１と接続されている。また、制御装置１１０は、リーダー部３００を制御して、原稿の画像データを読み込み、プリンタ部１００を制御して画像データを記録媒体に出力してコピー機能を提供する。
【００１６】
また、リーダー部３００から読み取った画像データを、コードデータに変換し、ネットワーク４００を介してコンピュータへ送信するスキャナ機能、コンピュータからネットワーク４００を介して受信したコードデータを画像データに変換し、プリンタ部１００に出力するプリンタ機能を提供する。
【００１７】
操作部１５０は、制御装置１１０に接続され、液晶タッチパネルで構成され、画像入出力システムを操作するためのユーザＩ／Ｆを提供する。
【００１８】
図２はリーダー部２００及びプリンタ部３００の断面図である。リーダー部の原稿給送ユニット２５０は原稿を先頭順に１枚ずつプラテンガラス２１１上へ搬送し、原稿の読み取り動作終了後、プラテンガラス２１１上の原稿を排出するものである。原稿がプラテンガラス２１１上に搬送されると、ランプ２１２を点灯し、そして光学ユニット２１３の移動を開始させて、原稿を露光走査する。この時の原稿からの反射光は、ミラー２１４、２１５、２１６、及びレンズ２１７によってＣＣＤイメージセンサ（以下ＣＣＤという）２１８へ導かれる。このように、走査された原稿の画像はＣＣＤ２１８によって読み取られる。ＣＣＤ２１８から出力される画像データは、制御装置１１０へ転送される。
【００１９】
プリンタ部３００のレーザドライバ３２１はレーザー発光部３２２を駆動するものであり、制御装置１１０から出力された画像データに応じたレーザー光をレーザー発光部３２２に発光させる。このレーザー光は感光ドラム３２３に照射され、感光ドラム３２３にはレーザー光に応じた潜像が形成される。この感光ドラム３２３の潜像の部分には現像器３２４によって現像剤が付着される。そして、レーザー光の照射開始と同期したタイミングで、カセット３１１及びカセット３１２のいずれかから記録紙を給紙して転写部３２５へ搬送し、感光ドラム３２３に付着された現像剤を記録紙に転写する。現像剤の乗った記録紙は定着部３２６に搬送され、定着部３２６の熱と圧力により現像剤は記像紙に定着される。定着部３２６を通過した記録紙は排出ローラ３２７によって排出され、排紙ユニット３３０では排出された記録紙を束ねて記録紙の仕分けや、仕分けされた記録紙のステイプルまた、ステイプルされた用紙を折ったり、用紙の周囲を裁断したり、くるみ製本の処理を行うことができる。
【００２０】
また、両面記録が設定されている場合は、排出ローラ３２７のところまで記録紙を搬送した後、排出ローラ３２７の回転方向を逆転させ、フラッパ３２８によって再給紙搬送路３２９へ導く。再給紙搬送路３２９へ導かれた記録紙は上述したタイミングで転写部３２５へ給紙される。
【００２１】
＜制御装置の説明＞
制御装置１１０の機能を、図３に示す制御装置のブロック図を基に説明する。
メインコントローラ１１１は、主にＣＰＵ１１２と、バスコントローラ１１３、各種Ｉ／Ｆコントローラ回路とから構成される。
【００２２】
ＣＰＵ１１２とバスコントローラ１１３は制御装置１１０全体の動作を制御するものであり、ＣＰＵ１１２はＲＯＭ１１４からＲＯＭ  Ｉ／Ｆ１１５を経由して読込んだプログラムに基づいて動作する。さらに、ＲＯＭ１１４には、機密印字及びナンバリング印字に使用する２値のビットマップデータが収納されている。
【００２３】
図６は、ＲＯＭに格納されたキャラクタデータの構成例である。
【００２４】
図６の構成例では、ＲＯＭ中のキャラクタデータが格納されている領域の先頭番地は、アドレス８００００００Ｈに接続されており、そのアドレスから複数のサイズのキャラクタデータが格納されている構成となっている。
【００２５】
ＲＯＭ１１４には、８／９／１０／１０．５／１２／１６ポイントの数字データが格納されており、各ポイントの１つのデータは、４８ビット×４８ビット＝２８８バイトになり、数字１０個分では、２８８０バイトとなる。よって、８／９／１０／１０．５ポイント分で１１５２０バイトとなるため、例えば、１２ポイントの数字０は、アドレス８００２Ｄ００（Ｈ）となる。また、数字の１を読み出したい場合は、アドレス８００２Ｆ２０（Ｈ）から読み出し，それをＤＲＡＭ１１６の画像メモリに書き込む。また、ナンバリングでページの番号が複数桁となる場合は、この読み出しを繰り返すことでキャラクタデータを合成することができる。
【００２６】
また、コンピュータから受信したＰＤＬ（ページ記述言語）コードデータを解釈し、ラスターイメージデータに展開する動作も、このプログラムに記述されており、ソフトウェアによって処理される。バスコントローラ１１３は各Ｉ／Ｆから入出力されるデータ転送を制御するものであり、バス競合時の調停やＤＭＡデータ転送の制御を行う。
【００２７】
ＤＲＡＭ１１６はＤＲＡＭ  Ｉ／Ｆ１１７によってメインコントローラ１１１と接続されており、ＣＰＵ１１２が動作するためのワークエリアや、画像データを蓄積するための画像メモリとして使用される。
【００２８】
Ｃｏｄｅｃ１１８は、ＤＲＡＭ１１６に蓄積されたラスターイメージデータをＭＨ／ＭＲ／ＭＭＲ／ＪＢＩＧ等の方式で圧縮し、また逆に圧縮され蓄積されたコードデータをラスターイメージデータに伸長する機能を有する。
【００２９】
ＳＲＡＭ１１９はＣｏｄｅｃ１１８の一時的なワーク領域として使用され、Ｃｏｄｅｃ１１８はＩ／Ｆ１２０を介してメインコントローラ１１１と接続され、ＤＲＡＭ１１６との間のデータの転送は、バスコントローラ１１３によって制御されＤＭＡ転送される。
【００３０】
Ｎｅｔｗｏｒｋ  Ｃｏｎｔｒｏｌｌｅｒ１２１はＩ／Ｆ１２３によってメインコントローラ１１１と接続され、コネクタ１２２によって外部ネットワークと接続される。ネットワークとしては一般的にイーサーネット（登録商標）があげられる。
【００３１】
汎用高速バス１２５には、拡張ボードを接続するための拡張コネクタ１２４とＩ／Ｏ制御部１２６とが接続される。汎用高速バスとしては、一般的にＰＣＩバスがあげられる。
【００３２】
Ｉ／Ｏ制御部１２６には、リーダー部３００、プリンタ部１００の各ＣＰＵと制御コマンドを送受信するための調歩同期シリアル通信コントローラ１２７が２チャンネル装備されており、Ｉ／Ｏバス１２８によって外部Ｉ／Ｆ回路１４０及び１４５に接続されている。
【００３３】
パネルＩ／Ｆ１３２は、ＬＣＤコントローラ１３１に接続され、操作部１５０上の液晶画面に表示を行うためのＩ／Ｆと、ハードキーやタッチパネルキーの入力を行うためのキー入力Ｉ／Ｆ１３０とから構成される。操作部１５０は液晶表示部と液晶表示部上に張り付けられたタッチパネル入力装置と、複数個のハードキーを有する。タッチパネルまたはハードキーにより入力された信号は前述したパネルＩ／Ｆ１３２を介してＣＰＵ１１２に伝えられ、液晶表示部はパネルＩ／Ｆ１３２から送られてきた画像データを表示するものである。液晶表示部には、本画像形成装置の操作における機能表示や画像データ等を表示する。
【００３４】
リアルタイムクロックモジュール１３３は、機器内で管理する日付と時刻を更新／保存するためのもので、バックアップ電池１３４によってバックアップされている。
【００３５】
Ｅ−ＩＤＥインタフェース１６１は、外部記憶装置を接続するためのものである。このＩ／Ｆを介してハードディスクドライブ１６０が接続され、ハードディスク１６２へ画像データ及び画像データに付属した画像情報を記憶させたり、ハードディスク１６２から画像データを読み込み出力することも可能である。
【００３６】
コネクタ１４２と１４７は、それぞれリーダー部３００とプリンタ部１００とに接続され、同調歩同期シリアルＩ／Ｆ（１４３，１４８）とビデオＩ／Ｆ（１４４，１４９）とから構成される。
【００３７】
スキャナＩ／Ｆ１４０は、コネクタ１４２を介してリーダー部３００と接続され、また、スキャナバス１４１によって入力画像処理部１５０及びメインコントローラ１１１と接続されている。
【００３８】
図７に入力画像処理部１５０のブロック図を示す。
【００３９】
リーダー部３００から入力された原稿画像のＲ（Ｒｅｄ），Ｇ（Ｇｒｅｅｎ），Ｂ（Ｂｌｕｅ）信号は、まず読み取りの特性を補正するために入力マスキング部７０１でマスキング処理される。次に、７０２のサンプリング部でデータのサンプリングが行われ、７０３のフィルタ部でフィルタ処理が行われた後、７０４のγ補正部で画像データに対して濃度レベル補正が行われ、７０５のトリマス部で、画像の不要な部分に対してトリミング処理が施される。
【００４０】
一方、サンプリング部７０２でサンプリングされたデータは、ヒストグラム作成部７０６に渡り、サンプリングされたデータからヒストグラムの作成を行い、作成されたヒストグラムから下地判定部７０７が下地のレベルを判定する。
【００４１】
この下地判定のレベル判定処理動作を図８のフローチャートに従って説明する。
【００４２】
まず、ステップＳ８０１では、画像の入力に先立ってヒストグラム作成部７０６が有するバッファメモリ（図示せず）をクリアする。次に、ステップＳ８０２で画像のスキャンが開始されると、入力された画像データに対してサンプリング部７０２でデータのサンプリング処理が行われる（Ｓ８０３）。そして、サンプリングされたＲｅｄ，Ｇｒｅｅｎ，Ｂｌｕｅ信号を順次ヒストグラム作成部７０６が受け取り、各色成分につきヒストグラムを作成する（Ｓ８０４）。このとき、ヒストグラム作成部７０６に送られるＲ，Ｇ，Ｂデータは、データの上位５ビットを供給するものとする。つまり、ヒストグラム作成部７０６内には、ＲＧＢそれぞれ３２個（合計９６個）のカウンタ係数を用意すればよく、また、画像データに含まれるノイズ成分が除去されるというメリットもある。
【００４３】
次いで、ステップＳ８０５に進み、作成した各色成分毎のヒストグラム（Ｒ，Ｇ，Ｂの３つのヒストグラム）に基づいて、各色成分毎の特徴を抽出する。
【００４４】
図９は、ある色成分（例えばＧ成分）のヒストグラムの例を示している。
【００４５】
特長点の抽出は、ヒストグラムのデータの最大点を検出するのであるが、文字が多い原稿などでは低輝度部（高濃度部）にピークが現れることがある。そのため、そのようなピークを拾わないように、所定の範囲のみ、例えばある閾値ＳＳ以上の範囲を下地判定範囲（つまり、下地とばし開始位置となり得る候補範囲）にする必要がある。すなわち濃度の濃い部分は下地ではなく、画像や文字として扱うようにして下地のみを判定する精度を向上させる。
【００４６】
図９の例の場合は、輝度レベルの低い部分（高濃度部）にピーク１がある。しかし、これは文字部であると判断し、閾値ＳＳを超えるピーク２を特長点として抽出し、原稿の下地レベルを決定する。この時の下地レベルの結果は、各色成分８ビットとして処理されるのは勿論である（Ｓ８０６）。
【００４７】
スキャナバス１４１からＤＲＡＭ１１６へのデータ転送は、バスコントローラ１１３によって制御される。
【００４８】
プリンタＩ／Ｆ１４５は、コネクタ１４７を介してプリンタ部１００と接続され、また、プリンタバス１４６によって出力画像処理部１５１を介してメインコントローラ１１１と接続されており、メインコントローラ１１１から出力された画像データに対して、出力画像処理部で出力用の画像処理が施し、プリンタ部１００へ出力する機能を有し、さらに、プリンタ部１００から送られたビデオ制御信号をもとに生成した制御信号を、プリンタバス１４６に出力する機能も有する。
【００４９】
図４に出力画像処理部１５１のブロック図を示す。
【００５０】
出力のため画像データが、画像メモリから読み出されると、まず４０１の下地処理部で画像の下地レベル補正処理が行われる。次に、色調整部４０２で、操作部から指定された色相調整、彩度調整及び色空間圧縮等の画像処理が施され、次に４０３の合成部で合成処理された後、４０４のＬＯＧ変換部でＬＯＧ変換処理が行われた後、４０５のダイレクトマッピング部でＲ，Ｇ，ＢからＹ（イエロー）、Ｍ（マゼンタ）、Ｃ（シアン）、Ｋ（ブラック）への輝度→濃度変換処理が行わる。次に、γ補正部４０６で操作部から指定された濃度に従って、γ処理を行い、次に操作部で指定された文字、写真、印画紙写真等の原稿タイプに従ってスクリーン処理が施された後、最後に４０８のトリミング部でプリントの印刷可能領域にあわせてトリミング処理が行われる。
【００５１】
また、ナンバリング処理で画像に対してページ番号を付加する場合には、まずＣＰＵ１１２は現在のページ番号に対応したキャラクタデータをＲＯＭ１１４領域に格納されたキャラクタデータから、指定されたフォントサイズ及びページ番号から計算されたアドレスに従ってキャラクタデータを読み出し、ＤＲＡＭ１１６の画像メモリに書き込む。
【００５２】
画像メモリから読み出されたページ番号は、２値データのＫのデータであるため、まず４１１でＫからＲＧＢへの色空間変換が行われる。次に、ページ番号に色をつける場合は、４１０の文字処理部で色がつけられ、さらに印字位置に応じた移動処理が行われた後、原稿データと合成部４０３で合成処理が行われる。
【００５３】
このとき、合成部４０３ではそれぞれの画像に対する合成の比率を設定することができるが、ナンバリング機能を行う場合は、ページ番号をはっきりと印字することが必要であるため、ナンバー部が画像に対して上書きされるような１００：０の合成比率が設定される。
【００５４】
シリアル番号などを合成する機密機能の場合は、ＯＲ書きするような５０：５０の合成比率が設定されることとなる。
【００５５】
ＤＲＡＭ１１６上に展開されたラスターイメージデータのプリンタ部１００への転送は、バスコントローラ１１３によって制御され、プリンタバス１４６、ビデオＩ／Ｆ１４９を経由して、プリンタ部１００へＤＭＡ転送される。
【００５６】
＜ナンバリング処理の説明＞
次に、コピー動作でスキャナ部３００から読み込んだ画像に、ナンバリング処理を設定してページ番号を付加する方法について示す。
【００５７】
まず、操作部１５０において、変倍率、出力部数、出力する記録媒体のサイズや記録媒体の種類を設定する。さらに、ナンバリング処理を行う場合は、位置やページ番号の色及び大きさを設定する必要がある。
【００５８】
図５は、ナンバリング設定を行うための操作部の画面の一例である。
【００５９】
ユーザは、まずページ番号を用紙のどこの位置に印字するかを、５０４の印字位置を指定するキーにより決定する。位置指定キーは、上、右上、左上、右、左、下、右下、左下があり、ユーザはこの中から印字したい位置を決定し、キーを選択する。位置を設定しない場合は、デフォルトである下が設定される。
【００６０】
次に、ページ番号の色を設定する。ページ番号の色は、５０１のように予めプリセットされた色の中から選択するか、ここに設定されていない色を選択したい場合は、５０２のユーザ設定キーを選択すると開く色設定画面から、所望の色をＲ，Ｇ，Ｂのレベルを任意に設定することにより決定することが可能である。また、ページ番号の色にオートを選択すると、原稿の下地部分を読み取って最適な色を自動で選択することが可能となる。次に、５０５の選択肢の中からページ番号として使用する文字のサイズを選択する。全ての設定を行い、５０６のＯＫキーを押下して設定を終了し、原稿３０を原稿台ガラス３１上に載せスタートキーが押下すると、スキャナ部及びプリンタ部に対して出力開始が指示される。
【００６１】
画像出力開始の指示が出されると、露光ランプ３２により原稿を露光走査し、ＣＣＤで画像を読み取ることで画像が入力される。
【００６２】
入力された画像は、入力画像処理部で入力マスキング処理、ダイレクトマッピング処理等の入力画像処理が行われると同時に、サンプリング部、ヒストグラム作成部及び下地判定部により画像の下地部分の検出が行われた後、画像形成装置内の半導体メモリやハードディスク１６２等の画像記憶装置に一時的に記憶される。
【００６３】
次に、ＲＯＭ１１４内のキャラクタデータ部から、ページ番号及び操作部から設定した文字サイズに応じて、読み出しアドレスが計算され、計算されたアドレスに従って、ページ番号に応じたキャラクタデータを画像メモリに読み出す。次に、画像メモリより画像データとキャラクタデータが読み出されると、キャラクタデータは、Ｋ→ＲＧＢの色空間変換４１１が行われた後、文字処理部４１０でキャラクタデータに対して、操作部で設定した色に従って色付けがされる。
【００６４】
このとき、操作部の設定で文字番号の色にオートが設定されている場合は、画像読み込み時に計算された原稿の下地部の値から文字部の色を決定される。
【００６５】
例えば、原稿の下地の色がＲ０、Ｇ０、Ｂ０であった場合は、文字部の色Ｒ１、Ｇ１、Ｂ１は、ページ番号の色がもっともハッキリするように、
Ｒ１＝２５５−Ｒ０
Ｇ１＝２５５−Ｇ０
Ｂ１＝２５５−Ｂ０
で計算される。
【００６６】
文字部の色処理が行われると、操作部で設定された印字位置と原稿のサイズに従って移動の処理が行われ、合成部４０３で画像部と文字部の合成処理が行われる。ダイレクトマッピング、γ処理等の出力画像処理が施されたあと、プリンタ部１００に送られ、画像データに応じて光信号に変換し、レーザーでドラムを露光し、現像器で現像された後、画像記録媒体に出力される。
【図面の簡単な説明】
【００６７】
【図１】本装置の全体構成を示すブロック図である。
【図２】本発明に係る画像形成装置を示す概略構成図である。
【図３】本装置の制御装置部のブロック図である。
【図４】出力用の画像処理部を示すブロック図である。
【図５】ナンバリング設定を行う場合の、操作部表示を示す。
【図６】ＲＯＭに格納されたキャラクタデータの構成例である。
【図７】入力用の画像処理部を示すブロック図である。
【図８】原稿の下地レベル検出を行う際のフローチャート図である。
【図９】原稿のサンプリング結果によるヒストグラムの一例である。
【図１】
2006237990.tif 000003
【図２】
2006237990.tif 000004
【図３】
2006237990.tif 000005
【図４】
2006237990.tif 000006
【図５】
2006237990.tif 000007
【図６】
2006237990.tif 000008
【図７】
2006237990.tif 000009
【図８】
2006237990.tif 000010
【図９】
2006237990.tif 000011